(57)【特許請求の範囲】
【請求項１】
バックライトの輝度を制御する機能と、１つ以上の入力画像を示す１つ以上の矩形のサブ画面を表示画面内に表示する機能とを有する画像表示装置であって、
光透過率を制御するための複数の表示素子を含み、前記表示画面を有する表示パネルと、
複数の光源を含むバックライトと、
前記表示画面内において前記１つ以上のサブ画面を配置すべき位置および当該サブ画面の大きさの少なくとも一方を定める画面制御部と、
前記画面制御部により定められた位置および大きさの少なくとも一方で前記１つ以上の入力画像を配置した合成入力画像を生成する画面生成部と、
前記合成入力画像に対して前記複数の光源に対応する複数のエリアを設定し、設定された前記エリア毎の前記合成入力画像に基づき各エリアに対応した光源の発光時の輝度を示す発光輝度データを求める発光輝度算出部と、
前記合成入力画像と前記発光輝度算出部により求められた前記発光輝度データとに基づき、前記表示素子の光透過率を制御するための表示用データを求める表示用データ算出部と、
前記表示用データに基づき、前記表示パネルに対して前記表示素子の光透過率を制御する信号を出力するパネル駆動回路と、
前記発光輝度データに基づき、前記バックライトに対して前記光源の輝度を制御する信号を出力するバックライト駆動回路と
を備え、
前記画面制御部は、前記エリアの境界に前記サブ画面の境界を合わせるよう、前記サブ画面を配置すべき位置および前記サブ画面の大きさの双方を設定するものであって、
予め設定されまたは外部から受け取った前記サブ画面の配置位置を、前記エリアの境界に前記サブ画面の境界を合わせるように、前記表示画面の水平方向のうち移動距離がより小さくなる移動方向へ移動させるための演算、および前記表示画面の垂直方向のうち移動距離がより小さくなる移動方向へ移動させるための演算の少なくとも一方を行い、当該演算結果に基づき前記配置位置を設定するとともに、
前記サブ画面の配置位置を移動させることにより前記エリアの境界に合わせられた前記サブ画面の境界の位置を動かすことなく、当該境界とは反対側の前記サブ画面の境界を、当該エリアの対応する反対側の境界に合わせるよう、前記サブ画面の大きさを縮小するための演算を行い、当該演算結果に基づき前記大きさを設定することを特徴とする、画像表示装置。
【請求項２】
バックライトの輝度を制御する機能と、１つ以上の入力画像を示す１つ以上の矩形のサブ画面を表示画面内に表示する機能とを有する画像表示装置であって、
光透過率を制御するための複数の表示素子を含み、前記表示画面を有する表示パネルと、
複数の光源を含むバックライトと、
前記表示画面内において前記１つ以上のサブ画面を配置すべき位置および当該サブ画面の大きさの少なくとも一方を定める画面制御部と、
前記画面制御部により定められた位置および大きさの少なくとも一方で前記１つ以上の入力画像を配置した合成入力画像を生成する画面生成部と、
前記合成入力画像に対して前記複数の光源に対応する複数のエリアを設定し、設定された前記エリア毎の前記合成入力画像に基づき各エリアに対応した光源の発光時の輝度を示す発光輝度データを求める発光輝度算出部と、
前記合成入力画像と前記発光輝度算出部により求められた前記発光輝度データとに基づき、前記表示素子の光透過率を制御するための表示用データを求める表示用データ算出部と、
前記表示用データに基づき、前記表示パネルに対して前記表示素子の光透過率を制御する信号を出力するパネル駆動回路と、
前記発光輝度データに基づき、前記バックライトに対して前記光源の輝度を制御する信号を出力するバックライト駆動回路と
を備え、
前記画面制御部は、前記エリアの境界に前記サブ画面の境界を合わせるよう、前記サブ画面の大きさを設定するものであって、
予め設定されまたは外部から受け取った前記サブ画面の大きさを、前記エリアの境界に前記サブ画面の境界を合わせるように、前記表示画面の水平方向のうち前記大きさの変化が小さい方向へ縮小するための演算、および前記表示画面の垂直方向のうち前記大きさの変化が小さい方向へ縮小するための演算の少なくとも一方を行い、当該演算結果に基づき前記大きさを設定するとともに、
前記水平方向および前記垂直方向へ前記サブ画面の大きさが縮小される場合、前記水平方向の縮小率および前記垂直方向の縮小率を演算し、前記エリアの辺の長さに対する前記サブ画面の対応する辺の長さの割合がより大きい方の辺に直交する方向の縮小率で、前記水平方向および前記垂直方向へ前記サブ画面の大きさが縮小されるよう前記大きさを設定することを特徴とする、画像表示装置。
【請求項３】
バックライトの輝度を制御する機能と、１つ以上の入力画像を示す１つ以上の矩形のサブ画面を表示画面内に表示する機能とを有し、光透過率を制御するための複数の表示素子を含み前記表示画面を有する表示パネルと、複数の光源を含むバックライトとを備える画像表示装置の制御方法であって、
前記表示画面内において前記１つ以上のサブ画面を配置すべき位置および当該サブ画面の大きさの少なくとも一方を定める画面制御ステップと、
前記画面制御ステップにおいて定められた位置および大きさの少なくとも一方で前記１つ以上の入力画像を配置した合成入力画像を生成する画面生成ステップと、
前記合成入力画像に対して前記複数の光源に対応する複数のエリアを設定し、設定された前記エリア毎の前記合成入力画像に基づき各エリアに対応した光源の発光時の輝度を示す発光輝度データを求める発光輝度算出ステップと、
前記合成入力画像と前記発光輝度算出ステップにおいて求められた前記発光輝度データとに基づき、前記表示素子の光透過率を制御するための表示用データを求める表示用データ算出ステップと、
前記表示用データに基づき、前記表示パネルに対して前記表示素子の光透過率を制御する信号を出力するパネル駆動ステップと、
前記発光輝度データに基づき、前記バックライトに対して前記光源の輝度を制御する信号を出力するバックライト駆動ステップと
を備え、
前記画面制御ステップでは、前記エリアの境界に前記サブ画面の境界を合わせるよう、前記サブ画面を配置すべき位置および前記サブ画面の大きさの双方を設定するものであって、
予め設定されまたは外部から受け取った前記サブ画面の配置位置を、前記エリアの境界に前記サブ画面の境界を合わせるように、前記表示画面の水平方向のうち移動距離がより小さくなる移動方向へ移動させるための演算、および前記表示画面の垂直方向のうち移動距離がより小さくなる移動方向へ移動させるための演算の少なくとも一方を行い、当該演算結果に基づき前記配置位置を設定するとともに、
前記サブ画面の配置位置を移動させることにより前記エリアの境界に合わせられた前記サブ画面の境界の位置を動かすことなく、当該境界とは反対側の前記サブ画面の境界を、当該エリアの対応する反対側の境界に合わせるよう、前記サブ画面の大きさを縮小するための演算を行い、当該演算結果に基づき前記大きさを設定することを特徴とする、画像表示装置の制御方法。
【請求項４】
バックライトの輝度を制御する機能と、１つ以上の入力画像を示す１つ以上の矩形のサブ画面を表示画面内に表示する機能とを有し、光透過率を制御するための複数の表示素子を含み前記表示画面を有する表示パネルと、複数の光源を含むバックライトとを備える画像表示装置の制御方法であって、
前記表示画面内において前記１つ以上のサブ画面を配置すべき位置および当該サブ画面の大きさの少なくとも一方を定める画面制御ステップと、
前記画面制御ステップにおいて定められた位置および大きさの少なくとも一方で前記１つ以上の入力画像を配置した合成入力画像を生成する画面生成ステップと、
前記合成入力画像に対して前記複数の光源に対応する複数のエリアを設定し、設定された前記エリア毎の前記合成入力画像に基づき各エリアに対応した光源の発光時の輝度を示す発光輝度データを求める発光輝度算出ステップと、
前記合成入力画像と前記発光輝度算出ステップにおいて求められた前記発光輝度データとに基づき、前記表示素子の光透過率を制御するための表示用データを求める表示用データ算出ステップと、
前記表示用データに基づき、前記表示パネルに対して前記表示素子の光透過率を制御する信号を出力するパネル駆動ステップと、
前記発光輝度データに基づき、前記バックライトに対して前記光源の輝度を制御する信号を出力するバックライト駆動ステップと
を備え、
前記画面制御ステップでは、前記エリアの境界に前記サブ画面の境界を合わせるよう、前記サブ画面の大きさを設定するものであって、
予め設定されまたは外部から受け取った前記サブ画面の大きさを、前記エリアの境界に前記サブ画面の境界を合わせるように、前記表示画面の水平方向のうち前記大きさの変化が小さい方向へ縮小するための演算、および前記表示画面の垂直方向のうち前記大きさの変化が小さい方向へ縮小するための演算の少なくとも一方を行い、当該演算結果に基づき前記大きさを設定するとともに、
前記水平方向および前記垂直方向へ前記サブ画面の大きさが縮小される場合、前記水平方向の縮小率および前記垂直方向の縮小率を演算し、前記エリアの辺の長さに対する前記サブ画面の対応する辺の長さの割合がより大きい方の辺に直交する方向の縮小率で、前記水平方向および前記垂直方向へ前記サブ画面の大きさが縮小されるよう前記大きさを設定することを特徴とする、画像表示装置の制御方法。
【発明の詳細な説明】
【技術分野】
【０００１】
本発明は、画像表示装置に関し、特に、バックライトの輝度を制御する機能（バックライト調光機能）を有する画像表示装置に関する。
【背景技術】
【０００２】
液晶表示装置など、バックライトを備えた画像表示装置では、入力画像に基づきバックライトの輝度を制御することにより、バックライトの消費電力を抑制し、表示画像の画質を改善することができる。特に、画面を複数のエリアに分割し、エリア内の入力画像に基づき、当該エリアに対応したバックライト光源の輝度を制御することにより、さらなる低消費電力化と高画質化が可能となる。以下、このようにエリア内の入力画像に基づきバックライト光源の輝度を制御しながら、表示パネルを駆動する方法を「エリアアクティブ駆動」という。【０００３】
エリアアクティブ駆動を行う画像表示装置では、バックライト光源として、例えば、ＲＧＢ３色のＬＥＤ（Light Emitting Diode）や白色ＬＥＤが使用される。各エリアに対応したＬＥＤの輝度（発光時の輝度）は、当該各エリア内の画素の輝度の最大値や平均値などに基づいて求められ、ＬＥＤデータとしてバックライト用の駆動回路に与えられる。また、そのＬＥＤデータと入力画像とに基づいて表示用データ（液晶表示装置であれば、液晶の光透過率を制御するためのデータ）が生成され、当該表示用データは表示パネル用の駆動回路に与えられる。画面上における各画素の輝度は、液晶表示装置の場合には、バックライトからの光の輝度と表示用データに基づく光透過率との積になる。この表示用データは、全てのＬＥＤが発光することによって各エリアに表示され得る最大輝度（以下、「表示輝度」という）と入力画像とに基づいて生成される。【０００４】
以上のようにして生成された表示用データに基づいて表示パネル用の駆動回路が駆動され、上述のＬＥＤデータに基づいてバックライト用の駆動回路が駆動されることにより、入力画像に基づく画像表示が行われる。【０００５】
なお、本件発明に関連して、以下の先行技術文献が知られている。日本特開２００４−１８４９３７号公報、日本特開２００５−２５８４０３号公報、および日本特開２００７−３４２５１号公報には、画面を複数のエリアに分割してエリア毎に設けられたバックライトの発光輝度を制御することにより消費電力の低減を図っている表示装置の発明が開示されている。特に、日本特開２００４−１８４９３７号公報に開示された液晶表示装置においては、非表示領域のバックライト光源の点灯を自動的に停止させることにより、消費電力の低減が図られている。
【先行技術文献】
【特許文献】
【０００６】
【特許文献１】日本特開２００４−１８４９３７号公報
【特許文献２】日本特開２００５−２５８４０３号公報
【特許文献３】日本特開２００７−３４２５１号公報
【発明の概要】
【発明が解決しようとする課題】
【０００７】
ところが、エリアアクティブ駆動を行う従来の画像表示装置においては、部分表示が行われるとき（例えば、「４Ｋ２Ｋ」と呼ばれる高解像度の表示装置でフルＨＤ規格の画像の表示が行われるとき）、表示エリアの大きさや形状などの条件が（偶然に）合致しない限り、表示エリアよりも広い範囲に対応するエリアでＬＥＤの点灯が行われるのが一般的である。部分表示が行われる表示エリアを少しでも含むエリアのＬＥＤは必ず点灯されるからである。【０００８】
しかし、上記表示エリアを少ししか含んでいないエリアが多数生じる場合には、結果的に小さい領域を多くのＬＥＤによって照らすことになる。そのため、無駄な電力消費が生じる。なお、少ししか含まれていないとしても、当該エリアに対応するＬＥＤを非点灯とすることはできない。もし仮に非点灯とすると、表示が不能となるか少なくとも階調表示が正しく行われないなどの表示上の不具合が生じる。
【０００９】
そこで、本発明は、エリアアクティブ駆動を行う画像表示装置において、表示上の不具合が生じないようにして、部分表示の際に点灯するＬＥＤを低減させることにより低消費電力化を実現することを目的とする。
【課題を解決するための手段】
【００１０】
本発明の第１の局面は、バックライトの輝度を制御する機能と、１つ以上の入力画像を示す１つ以上の矩形のサブ画面を表示画面内に表示する機能とを有する画像表示装置であって、
光透過率を制御するための複数の表示素子を含み、前記表示画面を有する表示パネルと、
複数の光源を含むバックライトと、
前記表示画面内において前記１つ以上のサブ画面を配置すべき位置および当該サブ画面の大きさの少なくとも一方を定める画面制御部と、
前記画面制御部により定められた位置および大きさの少なくとも一方で前記１つ以上の入力画像を配置した合成入力画像を生成する画面生成部と、
前記合成入力画像に対して前記複数の光源に対応する複数のエリアを設定し、設定された前記エリア毎の前記合成入力画像に基づき各エリアに対応した光源の発光時の輝度を示す発光輝度データを求める発光輝度算出部と、
前記合成入力画像と前記発光輝度算出部により求められた前記発光輝度データとに基づき、前記表示素子の光透過率を制御するための表示用データを求める表示用データ算出部と、
前記表示用データに基づき、前記表示パネルに対して前記表示素子の光透過率を制御する信号を出力するパネル駆動回路と、
前記発光輝度データに基づき、前記バックライトに対して前記光源の輝度を制御する信号を出力するバックライト駆動回路と
を備え、
前記画面制御部は、前記エリアの境界に前記サブ画面の境界を合わせるよう、前記サブ画面を配置すべき位置および前記サブ画面の大きさの双方を設定するものであって、
予め設定されまたは外部から受け取った前記サブ画面の配置位置を、前記エリアの境界に前記サブ画面の境界を合わせるように、前記表示画面の水平方向のうち移動距離がより小さくなる移動方向へ移動させるための演算、および前記表示画面の垂直方向のうち移動距離がより小さくなる移動方向へ移動させるための演算の少なくとも一方を行い、当該演算結果に基づき前記配置位置を設定するとともに、
前記サブ画面の配置位置を移動させることにより前記エリアの境界に合わせられた前記サブ画面の境界の位置を動かすことなく、当該境界とは反対側の前記サブ画面の境界を、当該エリアの対応する反対側の境界に合わせるよう、前記サブ画面の大きさを縮小するための演算を行い、当該演算結果に基づき前記大きさを設定することを特徴とする。
【００１１】
本発明の第２の局面は、バックライトの輝度を制御する機能と、１つ以上の入力画像を示す１つ以上の矩形のサブ画面を表示画面内に表示する機能とを有する画像表示装置であって、
光透過率を制御するための複数の表示素子を含み、前記表示画面を有する表示パネルと、
複数の光源を含むバックライトと、
前記表示画面内において前記１つ以上のサブ画面を配置すべき位置および当該サブ画面の大きさの少なくとも一方を定める画面制御部と、
前記画面制御部により定められた位置および大きさの少なくとも一方で前記１つ以上の入力画像を配置した合成入力画像を生成する画面生成部と、
前記合成入力画像に対して前記複数の光源に対応する複数のエリアを設定し、設定された前記エリア毎の前記合成入力画像に基づき各エリアに対応した光源の発光時の輝度を示す発光輝度データを求める発光輝度算出部と、
前記合成入力画像と前記発光輝度算出部により求められた前記発光輝度データとに基づき、前記表示素子の光透過率を制御するための表示用データを求める表示用データ算出部と、
前記表示用データに基づき、前記表示パネルに対して前記表示素子の光透過率を制御する信号を出力するパネル駆動回路と、
前記発光輝度データに基づき、前記バックライトに対して前記光源の輝度を制御する信号を出力するバックライト駆動回路と
を備え、
前記画面制御部は、前記エリアの境界に前記サブ画面の境界を合わせるよう、前記サブ画面の大きさを設定するものであって、
予め設定されまたは外部から受け取った前記サブ画面の大きさを、前記エリアの境界に前記サブ画面の境界を合わせるように、前記表示画面の水平方向のうち前記大きさの変化が小さい方向へ縮小するための演算、および前記表示画面の垂直方向のうち前記大きさの変化が小さい方向へ縮小するための演算の少なくとも一方を行い、当該演算結果に基づき前記大きさを設定するとともに、
前記水平方向および前記垂直方向へ前記サブ画面の大きさが縮小される場合、前記水平方向の縮小率および前記垂直方向の縮小率を演算し、前記エリアの辺の長さに対する前記サブ画面の対応する辺の長さの割合がより大きい方の辺に直交する方向の縮小率で、前記水平方向および前記垂直方向へ前記サブ画面の大きさが縮小されるよう前記大きさを設定することを特徴とする。
【００１６】
本発明の第３の局面は、バックライトの輝度を制御する機能と、１つ以上の入力画像を示す１つ以上の矩形のサブ画面を表示画面内に表示する機能とを有し、光透過率を制御するための複数の表示素子を含み前記表示画面を有する表示パネルと、複数の光源を含むバックライトとを備える画像表示装置の制御方法であって、
前記表示画面内において前記１つ以上のサブ画面を配置すべき位置および当該サブ画面の大きさの少なくとも一方を定める画面制御ステップと、
前記画面制御ステップにおいて定められた位置および大きさの少なくとも一方で前記１つ以上の入力画像を配置した合成入力画像を生成する画面生成ステップと、
前記合成入力画像に対して前記複数の光源に対応する複数のエリアを設定し、設定された前記エリア毎の前記合成入力画像に基づき各エリアに対応した光源の発光時の輝度を示す発光輝度データを求める発光輝度算出ステップと、
前記合成入力画像と前記発光輝度算出ステップにおいて求められた前記発光輝度データとに基づき、前記表示素子の光透過率を制御するための表示用データを求める表示用データ算出ステップと、
前記表示用データに基づき、前記表示パネルに対して前記表示素子の光透過率を制御する信号を出力するパネル駆動ステップと、
前記発光輝度データに基づき、前記バックライトに対して前記光源の輝度を制御する信号を出力するバックライト駆動ステップと
を備え、
前記画面制御ステップでは、前記エリアの境界に前記サブ画面の境界を合わせるよう、前記サブ画面を配置すべき位置および前記サブ画面の大きさの双方を設定するものであって、
予め設定されまたは外部から受け取った前記サブ画面の配置位置を、前記エリアの境界に前記サブ画面の境界を合わせるように、前記表示画面の水平方向のうち移動距離がより小さくなる移動方向へ移動させるための演算、および前記表示画面の垂直方向のうち移動距離がより小さくなる移動方向へ移動させるための演算の少なくとも一方を行い、当該演算結果に基づき前記配置位置を設定するとともに、
前記サブ画面の配置位置を移動させることにより前記エリアの境界に合わせられた前記サブ画面の境界の位置を動かすことなく、当該境界とは反対側の前記サブ画面の境界を、当該エリアの対応する反対側の境界に合わせるよう、前記サブ画面の大きさを縮小するための演算を行い、当該演算結果に基づき前記大きさを設定することを特徴とする。
本発明の第４の局面は、バックライトの輝度を制御する機能と、１つ以上の入力画像を示す１つ以上の矩形のサブ画面を表示画面内に表示する機能とを有し、光透過率を制御するための複数の表示素子を含み前記表示画面を有する表示パネルと、複数の光源を含むバックライトとを備える画像表示装置の制御方法であって、
前記表示画面内において前記１つ以上のサブ画面を配置すべき位置および当該サブ画面の大きさの少なくとも一方を定める画面制御ステップと、
前記画面制御ステップにおいて定められた位置および大きさの少なくとも一方で前記１つ以上の入力画像を配置した合成入力画像を生成する画面生成ステップと、
前記合成入力画像に対して前記複数の光源に対応する複数のエリアを設定し、設定された前記エリア毎の前記合成入力画像に基づき各エリアに対応した光源の発光時の輝度を示す発光輝度データを求める発光輝度算出ステップと、
前記合成入力画像と前記発光輝度算出ステップにおいて求められた前記発光輝度データとに基づき、前記表示素子の光透過率を制御するための表示用データを求める表示用データ算出ステップと、
前記表示用データに基づき、前記表示パネルに対して前記表示素子の光透過率を制御する信号を出力するパネル駆動ステップと、
前記発光輝度データに基づき、前記バックライトに対して前記光源の輝度を制御する信号を出力するバックライト駆動ステップと
を備え、
前記画面制御ステップでは、前記エリアの境界に前記サブ画面の境界を合わせるよう、前記サブ画面の大きさを設定するものであって、
予め設定されまたは外部から受け取った前記サブ画面の大きさを、前記エリアの境界に前記サブ画面の境界を合わせるように、前記表示画面の水平方向のうち前記大きさの変化が小さい方向へ縮小するための演算、および前記表示画面の垂直方向のうち前記大きさの変化が小さい方向へ縮小するための演算の少なくとも一方を行い、当該演算結果に基づき前記大きさを設定するとともに、
前記水平方向および前記垂直方向へ前記サブ画面の大きさが縮小される場合、前記水平方向の縮小率および前記垂直方向の縮小率を演算し、前記エリアの辺の長さに対する前記サブ画面の対応する辺の長さの割合がより大きい方の辺に直交する方向の縮小率で、前記水平方向および前記垂直方向へ前記サブ画面の大きさが縮小されるよう前記大きさを設定することを特徴とする。
【発明の効果】
【００１７】
上記本発明の第１の局面によれば、画面制御部によって、エリアの境界にサブ画面の境界を合わせるよう、サブ画面を配置すべき位置およびサブ画面の大きさの双方が設定されるので、表示画面より小さいサブ画面を表示するために典型的には部分的に点灯されるバックライトの光源の数を低減させることができ、そのことにより表示上の不具合を生ずることなく低消費電力化を実現することができる。なお、この効果は、後述する本発明の第２の局面における効果と共通する。
【００１８】
また上記本発明の第１の局面によれば、画面制御部によって、移動距離がより小さくなる移動方向へ移動させるための演算が行われ、当該演算結果に基づきサブ画面の配置位置が設定されるので、サブ画面の位置をできるだけ動かさないように処理が行われることになる。このことによって、サブ画面の位置を本来の表示位置から大きく動かすことで生じる可能性のある表示品質の低下を防止することができる。
【００１９】
さらに上記本発明の第１の局面によれば、画面制御部によって、画面の配置位置を移動させることによりエリアの境界に合わせられたサブ画面の境界の位置を動かすことなく、当該境界とは反対側のサブ画面の境界を当該エリアの対応する反対側の境界に合わせる。このことにより、サブ画面を単に動かすだけでは低減することができないバックライトの光源をさらに低減することができる。
【００２０】
上記本発明の第２の局面によれば、上記本発明の第１の局面における効果と共通の効果の他に、画面制御部によって、サブ画面の大きさの変化が小さい方向へ縮小するための演算が行われ、当該演算結果に基づきサブ画面の大きさが設定されるので、サブ画面の大きさを本来の大きさから大きく変化させることで生じる可能性のある表示品質の低下を防止することができる。
【００２２】
さらに上記本発明の第２の局面によれば、画面制御部によって、エリアの辺の長さに対するサブ画面の対応する辺の長さの割合がより大きい方の辺に直交する方向の縮小率で、水平方向および垂直方向へサブ画面の大きさが縮小されるよう大きさが設定されるので、より多くのエリアに差し掛かる辺が動かされる結果、典型的には点灯されるバックライトの光源の数をより低減させることができ、そのことにより表示上の不具合を生ずることなく低消費電力化を実現することができる。
【００２３】
上記本発明の第３の局面によれば、上記本発明の第１の局面における効果と同様の効果を画像表示装置の制御方法において奏することができる。
上記本発明の第４の局面によれば、上記本発明の第２の局面における効果と同様の効果を画像表示装置の制御方法において奏することができる。
【図面の簡単な説明】
【００２４】
【図１】本発明の一実施形態に係る画像表示装置の構成を示すブロック図である。
【図２】上記実施形態におけるバックライトの詳細を示す図である。
【図３】上記実施形態におけるサブ画面制御部における補正動作の全体的な処理手順を示すフローチャートである。
【図４】上記実施形態において、サブ画面を移動させる補正を行わない場合のサブ画面を含む表示画面例を示す図である。
【図５】上記実施形態における補正を行った場合のサブ画面を含む表示画面例を示す図である。
【図６】上記実施形態におけるサブ画面を縮小する補正を行った場合のサブ画面を含む表示画面例を示す図である。
【図７】上記実施形態におけるＸ座標の補正演算処理についての処理手順を示すフローチャートである。
【図８】上記実施形態におけるＹ座標の補正演算処理についての処理手順を示すフローチャートである。
【図９】上記実施形態におけるサブ画面の大きさの補正演算処理についての処理手順を示すフローチャートである。
【図１０】上記実施形態におけるエリアアクティブ駆動処理部の詳細な構成を示すブロック図である。
【図１１】輝度拡散フィルタについて説明するための図である。
【図１２】上記実施形態において、エリアアクティブ駆動処理部の処理を示すフローチャートである。
【図１３】上記実施形態において、液晶データとＬＥＤデータが得られるまでの経過を示す図である。
【図１４】上記実施形態の第１の主たる変形例におけるＸ座標の補正演算処理についての処理手順を示すフローチャートである。
【図１５】上記実施形態における第２の主たる変形例におけるエリアとＬＥＤユニットとの位置関係を簡略に示す図である。
【発明を実施するための形態】
【００２５】
以下、添付図面を参照しつつ本発明の一実施形態について説明する。
【００２６】
＜１．  全体的な構成および動作概要＞
図１は、本発明の一実施形態に係る画像表示装置である液晶表示装置２の構成を示すブロック図である。図１に示す液晶表示装置２は、バックライト３、バックライト駆動回路４、パネル駆動回路６、液晶パネル７、エリアアクティブ駆動処理部５、サブ画面制御部１０、およびマルチ画面生成部２０を備えている。
【００２７】
この液晶表示装置２は、画面を複数のエリアに分割したときの各エリア内の（エリアアクティブ駆動処理部５に与えられる）マルチ画面入力画像Ｄｖに基づいて、対応するバックライト光源の輝度を制御し、当該輝度に応じて液晶パネル７を駆動するエリアアクティブ駆動を行う。このようなマルチ画面表示は、例えば本液晶表示装置２が「４Ｋ２Ｋ」と呼ばれる高解像度の表示装置であって入力画像としてのフルＨＤ規格の画像の表示が行われるときなどに採用される。
【００２８】
ここで上記各エリアは、説明の便宜上、表示画面を単純に分割することにより設定されているものとして説明するが、後述するようにこのエリアは周囲のエリアと重なる部分を含むように設定されてもよいし、各エリアの境界位置が（例えば入力画像や輝度計算処理などに応じて）変化するものであってもよい。
【００２９】
液晶表示装置２には、Ｒ画像、Ｇ画像およびＢ画像を含む第１から第３までのサブ画面入力画像Ｄｖ１〜Ｄｖ３を示す信号（以下ではこの信号もＤｖ１〜Ｄｖ３という）が装置外部から入力される。なお、装置外部からの（または装置内部において生成される）サブ画面入力画像は１つ以上であればよいので、以下では表示画面全体の大きさよりも小さい第１のサブ画面入力画像Ｄｖ１と、この画像を表示するための画面である表示画面内の１つのサブ画面に着目して説明する。なお、本明細書におけるサブ画面とは、表示画面より小さい矩形の画像表示領域（または当該矩形画像）を指すものとし、必ずしもメイン画面等に対する優先関係や、画面としての表示態様などを要するものではない。
【００３０】
これらのサブ画面入力画像Ｄｖ１〜Ｄｖ３に含まれるＲ画像、Ｇ画像およびＢ画像は、いずれも（ｍ×ｎ）個以下の画素の輝度を含んでいる。ここで、上記ｍおよびｎは２以上の整数、後述するｉとｊは１以上の整数、ｉとｊのうち少なくとも一方は２以上の整数であるものとする。
【００３１】
サブ画面制御部１０は、上記サブ画面の大きさや表示位置などの設定情報であるサブ画面設定データＤｓを受け取り、点灯するバックライト光源の数（エリア数）が少なくなるよう、サブ画面設定データＤｓに示される位置および大きさを（必要に応じて）補正する。この補正された位置および大きさを含む設定データはサブ画面制御情報Ｃｓとして出力される。本発明の特徴は、このサブ画面制御部１０の補正動作にあるため、詳しく後述する。
【００３２】
なお、上記サブ画面設定データＤｓは、製造時から固定的に定められて、サブ画面制御部１０（に含まれる図示されない不揮発性メモリ内）に予め記憶されていてもよいし、利用者により操作される図示されないリモートコントローラ等からの操作入力に基づき、装置の動作中に適宜定められてもよい。
【００３３】
マルチ画面生成部２０は、上記サブ画面制御情報Ｃｓを受け取り、このサブ画面制御情報Ｃｓに示される位置および大きさで、上記サブ画面入力画像Ｄｖ１〜Ｄｖ３を表示画面内に同時に合成表示（マルチ表示）するためのマルチ画面を示すマルチ画面入力画像Ｄｖを生成する。
【００３４】
ここで本明細書において、マルチ画面入力画像Ｄｖのうちサブ画面入力画像Ｄｖ１〜Ｄｖ３により占められていない部分は黒表示であるものとして説明する。したがって、マルチ画面入力画像Ｄｖのうちの当該黒表示部分に対応するエリアのバックライト光源は点灯されない。もっとも、この黒表示に代えて、サブ画面入力画像Ｄｖ１〜Ｄｖ３よりも（または所定の）暗い色を使用した（バック）表示がなされる構成であってもよい。この場合であってもバックライト光源は低輝度で点灯されるにすぎないため、後述する補正動作による消費電力低減効果を得ることができる。
【００３５】
なおサブ画面入力画像Ｄｖ１〜Ｄｖ３の表示上の優先関係は、予め定められていてもよいし、上記操作入力に基づき定められてもよい。また優先関係により各サブ画面入力画像Ｄｖ１〜Ｄｖ３が重ならないように配置する制御を行ってもよいし、優先関係が高い画像が隠れないように画像の表示態様を制御してもよい。さらに、予めまたは操作入力により同様に定められたガンマ値や輝度値なども表示時に使用される。このガンマ値に基づくガンマ補正や、表示輝度の設定のための動作は周知であるので説明を省略する。
【００３６】
エリアアクティブ駆動処理部５は、マルチ画面生成部２０により生成されたマルチ表示用の合成画像であるマルチ画面入力画像Ｄｖに基づき、液晶パネル７の駆動に用いる表示用データ（以下、液晶データＤａという）と、バックライト３の駆動に用いるバックライト制御データ（以下、ＬＥＤデータＤｂという）とを求める（詳細は後述）。
【００３７】
液晶パネル７は、（ｍ×ｎ×３）個の表示素子Ｐを備えている。表示素子Ｐは、行方向（図１では横方向）に３ｍ個ずつ、列方向（図１では縦方向）にｎ個ずつ、全体として２次元状に配置される。表示素子Ｐには、赤色光を透過するＲ表示素子、緑色光を透過するＧ表示素子、および、青色光を透過するＢ表示素子が含まれる。Ｒ表示素子、Ｇ表示素子およびＢ表示素子は、行方向に並べて配置され、３個で１個の画素を形成する。
【００３８】
パネル駆動回路６は、液晶パネル７の駆動回路である。パネル駆動回路６は、エリアアクティブ駆動処理部５から出力された液晶データＤａに基づき、液晶パネル７に対して表示素子Ｐの光透過率を制御する信号（電圧信号）を出力する。パネル駆動回路６から出力された電圧は表示素子Ｐ内の画素電極（図示せず）に書き込まれ、表示素子Ｐの光透過率は画素電極に書き込まれた電圧に応じて変化する。
【００３９】
バックライト３は、液晶パネル７の背面側に設けられ、液晶パネル７の背面にバックライト光を照射する。図２は、バックライト３の詳細を示す図である。バックライト３は、図２に示すように、（ｉ×ｊ）個のＬＥＤユニット３２を含んでいる。ＬＥＤユニット３２は、行方向にｉ個ずつ、列方向にｊ個ずつ、全体として２次元状に配置される。ＬＥＤユニット３２は、赤色ＬＥＤ３３、緑色ＬＥＤ３４および青色ＬＥＤ３５を１個ずつ含む。１個のＬＥＤユニット３２に含まれる３個のＬＥＤ３３〜３５から出射された光は、液晶パネル７の背面の一部にあたる。
【００４０】
バックライト駆動回路４は、バックライト３の駆動回路である。バックライト駆動回路４は、エリアアクティブ駆動処理部５から出力されたＬＥＤデータＤｂに基づき、バックライト３に対してＬＥＤ３３〜３５の輝度を制御する信号（電圧信号または電流信号）を出力する。ＬＥＤ３３〜３５の輝度は、ユニット内およびユニット外のＬＥＤの輝度とは独立して制御される。
【００４１】
液晶表示装置２の画面は（ｉ×ｊ）個のエリアを含み、１個のエリアには１個のＬＥＤユニット３２が対応づけられる。なお、１個のエリアに２個以上のＬＥＤユニット３２が対応づけられる構成であってもよい。また、説明の便宜上、以下では各エリアは画面を単純に分割することにより設定されているものとする点については前述したとおりである。
【００４２】
エリアアクティブ駆動処理部５は、（ｉ×ｊ）個のエリアのそれぞれについて、エリア内のＲ画像に基づき、当該エリアに対応した赤色ＬＥＤ３３の輝度を求める。同様に、緑色ＬＥＤ３４の輝度はエリア内のＧ画像に基づき決定され、青色ＬＥＤ３５の輝度はエリア内のＢ画像に基づき決定される。エリアアクティブ駆動処理部５は、バックライト３に含まれるすべてのＬＥＤ３３〜３５の輝度を求め、求めたＬＥＤ輝度を表すＬＥＤデータＤｂをバックライト駆動回路４に対して出力する。
【００４３】
また、エリアアクティブ駆動処理部５は、ＬＥＤデータＤｂに基づき、液晶パネル７に含まれるすべての表示素子Ｐにおけるバックライト光の輝度を求める。さらに、エリアアクティブ駆動処理部５は、マルチ画面入力画像Ｄｖとバックライト光の輝度とに基づき、液晶パネル７に含まれるすべての表示素子Ｐの光透過率を求め、求めた光透過率を表す液晶データＤａをパネル駆動回路６に対して出力する。なお、エリアアクティブ駆動処理部５におけるバックライト光の輝度の求め方についての詳しい説明は後述する。
【００４４】
液晶表示装置２では、Ｒ表示素子の輝度は、バックライト３から出射される赤色光の輝度とＲ表示素子の光透過率との積になる。１個の赤色ＬＥＤ３３から出射された光は、対応する１個のエリアを中心として複数のエリアに当たる。したがって、Ｒ表示素子の輝度は、複数の赤色ＬＥＤ３３から出射された光の輝度の合計とＲ表示素子の光透過率との積になる。同様に、Ｇ表示素子の輝度は複数の緑色ＬＥＤ３４から出射された光の輝度の合計とＧ表示素子の光透過率との積になり、Ｂ表示素子の輝度は複数の青色ＬＥＤ３５から出射された光の輝度の合計とＢ表示素子の光透過率との積になる。
【００４５】
以上のように構成された液晶表示装置２によれば、マルチ画面入力画像Ｄｖに基づき好適な液晶データＤａとＬＥＤデータＤｂを求め、液晶データＤａに基づき表示素子Ｐの光透過率を制御し、ＬＥＤデータＤｂに基づきＬＥＤ３３〜３５の輝度を制御することにより、マルチ画面入力画像Ｄｖを液晶パネル７に表示することができる。次に、サブ画面制御部１０による、点灯するバックライト光源の数（エリア数）を少なくするための補正動作について説明する。
【００４６】
＜２．  サブ画面制御部の動作＞
＜２．１  補正動作の全体的な流れ＞
図３は、本実施形態におけるサブ画面制御部１０における補正動作の全体的な処理手順を示すフローチャートである。この図３に示されるステップＳ１００において、サブ画面制御部１０は、予め定められまたは利用者により設定されることによりサブ画面設定データＤｓに示される位置である各サブ画面の基準座標（ここではサブ画面の左上隅の頂点座標）のうち、（必要に応じて）まずＸ座標を補正する演算を行う。なお以下において、座標とは表示画面内の画素位置を指す。次に、ステップＳ２００において、サブ画面制御部１０は、上記基準座標のうち、必要に応じてＹ座標を補正する演算を行う。
【００４７】
これらのＸ座標およびＹ座標の補正演算の内容についての詳細は後述するが、これらの補正は、表示画面内において各サブ画面を（水平方向またはＸ軸方向である）右または左へ適宜移動させることにより、点灯するバックライト光源の数（エリア数）を少なくし、消費電力を低減させるためのものである。このことについて、図４および図５を参照して説明する。
【００４８】
図４は、サブ画面を移動させる補正を行わない場合のサブ画面を含む表示画面例を示す図である。また、図５は、上記補正を行った場合のサブ画面を含む表示画面例を示す図である。図４および図５において、太線で示される３つのサブ画面ＳＵＢ１〜ＳＵＢ３は、液晶パネル７の表示画面上に表示されており、サブ画面入力画像Ｄｖ１〜Ｄｖ３に相当する。また、細線で示される縦９個、横１６個のＬＥＤユニット３２のうち、点灯しているユニットには斜線が付されている。
【００４９】
まず、図４において、少しでもサブ画面に対応するエリアが重なっているＬＥＤユニット３２は点灯するため、点灯していないＬＥＤユニット３２は１０個に過ぎない。しかし、図５に示すように、各サブ画面を適宜の位置へ移動させると、サブ画面に対応するエリアが重なっていたＬＥＤユニット３２が減少するため、点灯していないＬＥＤユニット３２は４２個に増加する。このように、サブ画面の位置をエリアの端部に合わせるように適宜に移動させると、点灯しないＬＥＤユニットの数を増加させることができ、消費電力を低減することができる。また、このような補正により表示画面が大きく変化しないように、補正前のサブ画面の位置からできるだけ移動させないように配慮された補正が行われる。詳しくは後述する。
【００５０】
続いて、ステップＳ３００において、サブ画面制御部１０は、サブ画面の大きさが固定されることを示す後述する大きさ固定フラグが立てられているか否か、すなわちステップＳ１００，Ｓ２００における処理によりこれ以上点灯するバックライト光源の数（エリア数）を少なくすることができない場合か否かを判定する。この判定の結果、これ以上点灯数を少なくすることができないためサブ画面の大きさが固定される場合（ステップＳ３００においてＹｅｓである場合）、処理はそのまま終了し、さらに点灯数を少なくすることができるためサブ画面の大きさが固定されない場合（ステップＳ３００においてＮｏである場合）、処理はステップＳ４００に進む。
【００５１】
次に、ステップＳ４００において、サブ画面制御部１０は、ステップＳ１００，Ｓ２００における処理によりエリアの端部に合わせられている辺を当該端部から離すように動かさないで、点灯するバックライト光源の数（エリア数）が少なくなるよう、例えば図６に示されるようにサブ画面の大きさを適宜に縮小する補正演算を行う。なお、ステップＳ１００，Ｓ２００における処理と同様、このステップＳ３００におけるサブ画面を縮小する補正処理により表示画面が大きく変化しないように、補正前のサブ画面の大きさからできるだけ縮小されないように配慮された補正演算が行われる。この点についても詳しく後述する。
【００５２】
図６は、サブ画面を縮小する補正を行った場合のサブ画面を含む表示画面例を示す図である。この図６を図４および図５と比較すればわかるように、図５に示される２つのサブ画面ＳＵＢ１、ＳＵＢ３は、全ての辺がエリアの端部に合わせられている。そのため、大きさを変化させる必要がない（上記ステップＳ４００に示される大きさを変更する補正演算を行う必要がない）。しかし、サブ画面ＳＵＢ２は全ての辺がエリアの端部に合わせられていない。そのため、大きさを変化させることによりさらに点灯数を減少させることができるので、大きさを変更することが好ましい。よって、図６に示されるようにサブ画面ＳＵＢ２の大きさのみが（図では約９割程度の大きさになるよう）縮小されている。この縮小処理によって、サブ画面ＳＵＢ２は全ての辺がエリアの端部に合わせられているため、図５におけるサブ画面ＳＵＢ２に対応するエリアが重なっていたＬＥＤユニット３２が２つ減少し、点灯していないＬＥＤユニット３２は４４個に増加する。よってさらに消費電力を低減することができる。
【００５３】
以下、図３に示す上記ステップＳ１００におけるＸ座標の補正演算処理についての詳しい処理手順について、図７を参照して詳しく説明する。なお、以下では説明の便宜のため、サブ画面入力画像Ｄｖ１に対応する１つのサブ画面について補正演算が行われるものとするが、実際には表示される各サブ画面についてそれぞれ同様の補正演算が行われる。
【００５４】
＜２．２  Ｘ座標の補正演算処理＞
図７は、Ｘ座標の補正演算処理についての処理手順を示すフローチャートである。この図７に示されるステップＳ１０２において、サブ画面制御部１０は、サブ画面入力画像Ｄｖ１に対応する補正前のサブ画面のＸ軸方向の大きさＬｘｐが、エリアのＸ軸方向の大きさＡｘのｋ倍（ｋは自然数）であるか否かを判定する。判定の結果、ｋ倍である場合（ステップＳ１０２においてＹｅｓである場合）、サブ画面制御部１０は、ステップＳ１０４の処理へ進み、ｋ倍でない場合（ステップＳ１０２においてＮｏである場合）、サブ画面制御部１０は、ステップＳ１１２の処理へ進む。
【００５５】
なお、以下ではサブ画面やエリアの大きさは、表示画面における画素数で表されるものとし、座標は表示画面上の画素の座標であるものとする。また、前述したように、各エリアはここでは表示画面を同じ大きさで複数に分割することにより設定されるものとする。
【００５６】
このステップＳ１０２における判定は、サブ画面の大きさがちょうどエリアの大きさの整数倍である場合には、サブ画面を適宜に移動させればＸ軸方向における位置すなわちサブ画面の左辺および右辺がちょうどエリアの左辺および右辺の位置に重なるため、Ｘ軸方向におけるＬＥＤユニット３２の点灯数を少なくすることができることに着目したものである。
【００５７】
次にステップＳ１０４において、サブ画面制御部１０は、サブ画面を右に動かすべきか否かを判定する。具体的には、サブ画面制御部１０は、サブ画面入力画像Ｄｖ１に対応する補正前のサブ画面の基準座標（ここでは左上隅の座標）のうちのＸ座標をＸｐとし、このＸｐをエリアのＸ軸方向の大きさＡｘの整数ｐ倍の値で割った時の（０以上の）最小の余りの値をＸｐｓとするとき、次式（１）を満たす場合にはサブ画面を右に動かすべきであると判定する。
Ｘｐｓ＞Ａｘ／２  …（１）
【００５８】
ここで、上式（１）を満たす場合、サブ画面の基準座標は対応するエリアの中央よりも右に偏った位置にあると言えるので、サブ画面を右に動かす方が左へ動かすよりも移動距離が小さくて済む。そこで、上式（１）を満たす場合には右へ動かすべき場合であると判定される。
【００５９】
このように例えば右へ動かす方が移動距離が少なくなるため右へ動かすべき場合にはサブ画面を右に動かすことで、サブ画面の位置を本来の表示位置から大きく動かすことで生じる可能性のある（サブ画面の配置バランスの悪化などの）表示品質の低下を防止することができる。
【００６０】
上記ステップＳ１０４における判定の結果、右へ動かすべき場合（ステップＳ１０４においてＹｅｓである場合）、処理はステップＳ１０６へ進み、右へ動かすべきでない場合（ステップＳ１０４においてＮｏである場合）、処理はステップＳ１０８へ進む。
【００６１】
続くステップＳ１０６において、サブ画面制御部１０は、サブ画面を右へ動かすよう補正後のサブ画面の基準座標のうちのＸ座標であるＸを算出する。具体的には、例えば次式（２）によりＸを算出する。その後、処理はステップＳ１１０へ進む。
Ｘ＝（ｐ＋１）・Ａｘ  …（２）
【００６２】
またステップＳ１０８において、サブ画面制御部１０は、サブ画面を左へ動かすかまたは動かさないよう補正後のサブ画面のＸ座標Ｘを算出する。具体的には、例えば次式（３）によりＸを算出する。
Ｘ＝ｐ・Ａｘ  …（３）
【００６３】
次にステップＳ１１０において、サブ画面制御部１０は、Ｘ軸方向（またはＹ軸方向）についてこれ以上点灯するバックライト光源の数（エリア数）を少なくすることができない場合であることを示す大きさ固定フラグを立てる。なお、ここで垂直方向であるＹ軸方向についてはまだ補正演算を行っていないが、このように大きさ固定フラグを立てるのは、もしサブ画面の大きさを変更すれば、上述した処理によりＸ軸方向において点灯するバックライト光源の数（エリア数）を最も少なくすることができているにもかかわらず、これを悪化させてしまうからである。ただし、Ｘ軸方向とＹ軸方向とでサブ画面の大きさの変化率（ここでは縮小率）が異なってもよい場合（すなわちサブ画面の縦横比が変化してもよい場合）には、上記大きさ固定フラグはＸ軸用とＹ軸用の２種類が設けられてもよい。その後一連のステップＳ１００における処理は終了し、前述した図３に示すステップＳ２００の処理へ進む。
【００６４】
なお前述したように上記大きさ固定フラグが立てられている場合には、ステップＳ３００においてサブ画面の大きさが固定される場合（ステップＳ３００においてＹｅｓである場合）となり、ステップＳ４００におけるサブ画面の大きさを補正する処理が省略され、処理は終了する。
【００６５】
また（前述したステップＳ１０２においてＬｘｐ＝ｋ・Ａｘでないと判定された場合）、ステップＳ１１２において、サブ画面制御部１０は、サブ画面を右に動かすべきか否かを判定する。
【００６６】
具体的には、サブ画面制御部１０は、サブ画面の大きさＬｘｐを自然数ｂ（ただしｂはエリアのＸ軸方向の大きさＡｘ以下）を用いて次式（４）のように表すとき、次式（５）を満たすか否かを判定する。
Ｌｘｐ＝ｋ・Ａｘ＋ｂ  …（４）
ｂ／２≧Ａｘ−Ｘｐｓ  …（５）
【００６７】
ここで、上式（４）に示されるように、サブ画面の大きさＬｘｐはエリアの大きさのｋ倍よりもｂだけ余分に大きい。そのため、サブ画面をこの余分な長さであるｂの半分の値以下の適宜の値だけ右または左のいずれか適切な方向へ動かせば、最も少ない移動距離でサブ画面の右辺を対応するエリアの右辺と重なる位置へ、またはサブ画面の左辺を対応するエリアの左辺と重なる位置へ合わせることができる。したがって、例えばサブ画面を右に動かす場合、サブ画面の（元の）基準位置からエリアの右辺までの移動距離は（Ａｘ−Ｘｐｓ）であるので、この移動距離がｂ／２以下であれば右へ動かすのが適切であることになる。そこで、上式（５）を満たす場合には、サブ画面の左辺（すなわち基準座標のうちのＸ座標）を対応するエリアの左辺に合わせるよう右に動かす方が、サブ画面の右辺をエリアの右辺に合わせるよう左へ動かすよりも移動距離が小さくて済むと言える。したがって、上式（５）を満たす場合には右へ動かすべき場合であると判定される。
【００６８】
このように例えば右へ動かす方が移動距離が少なくなるため右へ動かすべき場合にはサブ画面を右に動かすことで、前述したように、サブ画面の位置を本来の表示位置から大きく動かすことで生じる可能性のある表示品質の低下を防止することができる。
【００６９】
上記ステップＳ１１２における判定の結果、右へ動かすべき場合（ステップＳ１１２においてＹｅｓの場合）、処理はステップＳ１１４へ進み、左へ動かすべき場合（ステップＳ１１２においてＮｏの場合）、処理はステップＳ１２０へ進む。
【００７０】
次にステップＳ１１４において、サブ画面制御部１０は、サブ画面を右へ動かすよう補正後のサブ画面の基準座標のうちのＸ座標であるＸを算出する。具体的には、前述した式（２）によりＸを算出してもよいし、補正前のＸ座標Ｘｐに上記移動距離（Ａｘ−Ｘｐｓ）を加えることにより算出してもよい。
【００７１】
続いてステップＳ１１６において、サブ画面制御部１０は、上記ステップＳ１１４における処理によりエリアの左辺に合わせられた辺である左辺を固定辺として記憶する。この固定辺を記憶するのは、後述するサブ画面の大きさを補正する処理において位置を変化させないようにするためであり、もしサブ画面の大きさを変更する際に固定辺の位置を動かせば、上述した処理によりＸ軸方向において点灯するバックライト光源の数（エリア数）を最も少なくすることができているにもかかわらず、これを悪化させてしまうからである。その後、図４に示す上記ステップＳ１００におけるＸ座標の補正演算処理は終了し、続くステップＳ２００におけるＹ座標の補正演算処理が開始される。
【００７２】
また（前述したステップＳ１１２において左へ動かすべき場合であると判定された場合）、ステップＳ１２０において、サブ画面制御部１０は、サブ画面を左へ動かすよう補正後のサブ画面の基準座標のうちのＸ座標であるＸを算出する。具体的には、前述した式（３）によりＸを算出する。
【００７３】
続いてステップＳ１２２において、サブ画面制御部１０は、上記ステップＳ１２０における処理によりエリアの右辺に合わせられた辺である右辺を固定辺として記憶する。この固定辺を記憶する理由については前述の通りである。その後、図４に示す上記ステップＳ１００におけるＸ座標の補正演算処理は終了し、続くステップＳ２００におけるＹ座標の補正演算処理が開始される。次に、このステップＳ２００におけるＹ座標の補正演算処理についての詳しい処理手順について、図８を参照して詳しく説明する。
【００７４】
＜２．３  Ｙ座標の補正演算処理＞
図８は、Ｙ座標の補正演算処理についての処理手順を示すフローチャートである。この図８に示されるステップＳ２０２〜２２２の各処理は、比較すれば分かるように、図７に示されるステップＳ１０２〜１２２の各処理とほぼ同様の内容である。すなわち、Ｘ座標がＹ座標に置き換わり、右が下へ置き換わり、左が上へ置き換わるほか、処理内容は同様である。したがってこれらの処理の詳しい説明は省略する。
【００７５】
なお、Ｘ座標の補正演算処理（Ｓ１００）と、Ｙ座標の補正演算処理（Ｓ２００）とは互いに関連することなく行うことができるので、Ｙ座標の補正演算処理を先に行ってもよいし、これらの演算処理を同時に行ってもよい。また、これらのうち一方のみを行う構成であってもよい。一方の処理を行うだけでも、Ｘ軸方向またはＹ軸方向のエリアの点灯数を低減させることができるからである。次に、ステップＳ４００におけるサブ画面の大きさの補正演算処理についての詳しい処理手順について、図９を参照して詳しく説明する。
【００７６】
＜２．４  サブ画面の大きさの補正演算＞
図９は、サブ画面の大きさの補正演算処理についての処理手順を示すフローチャートである。この図９に示されるステップＳ４０２において、サブ画面制御部１０は、ステップＳ１１６またはステップＳ１２２の処理において固定辺とされていない方の右辺または左辺を、大きさを縮小することにより対応するエリアの辺と重なるよう位置を定める場合のサブ画面のＸ軸方向の大きさＬｘを求める。
【００７７】
具体的には、補正前のサブ画面のＸ軸方向の大きさＬｘｐを前述した式（４）を用いて表すとき、補正後のサブ画面の大きさＬｘは次式（６）により求めることができる。
Ｌｘ＝ｋ・Ａｘ  …（６）
【００７８】
次にステップＳ４０４において、サブ画面制御部１０は、ステップＳ２１６またはステップＳ２２２の処理において固定辺とされていない方の上辺または下辺を、大きさを縮小することにより対応するエリアの辺と重なるよう位置を定める場合のサブ画面のＹ軸方向の大きさＬｙを求める。このＬｙもＬｘと同様に算出することができる。
【００７９】
続いてステップＳ４０６において、サブ画面制御部１０は、Ｌｘ／ＬｘｐがＬｙ／Ｌｙｐより大きいか否かを判定する。これは、補正前に対する補正後のサブ画面のＸ軸方向の縮小率の値が補正前に対する補正後のサブ画面のＹ軸方向（垂直方向）の縮小率の値よりも大きいか否かを判定するものであり、言い換えればＸ軸方向（水平方向）の縮小率の値の方が大きいことによりＸ軸方向の大きさの変化がＹ軸方向の変化よりも小さい場合であるか否かを判定するものである。この判定の結果、Ｘ軸方向の縮小率の値の方が大きい（変化が小さい）場合（ステップＳ４０６においてＹｅｓである場合）、さらにステップＳ４０８において、サブ画面制御部１０は、補正後のサブ画面のＹ軸方向の大きさをＸ軸方向の縮小率の値に合わせて次式（７）により求める。その後処理はステップＳ４１２へ進む。
Ｌｙ＝Ｌｙｐ・Ｌｘ／Ｌｘｐ  …（７）
【００８０】
また、Ｘ軸方向の縮小率の値の方が大きくない（変化が大きい）場合（ステップＳ４０６においてＮｏである場合）、さらにステップＳ４１０において、サブ画面制御部１０は、補正後のサブ画面のＸ軸方向の大きさをＹ軸方向の縮小率の値に合わせて次式（８）により求める。その後処理はステップＳ４１２へ進む。
Ｌｘ＝Ｌｘｐ・Ｌｙ／Ｌｙｐ  …（８）
【００８１】
このように、サブ画面の大きさを変更する場合、Ｘ軸方向の大きさおよびＹ軸方向の大きさのうち、より変化が小さい方の縮小率で同じようにＸ軸方向およびＹ軸方向の大きさを縮小する処理が行われる。このようにすればサブ画面の縦横比が維持され、変形することなく表示することができる。また、変化が小さい方の縮小率が使用されるので大きさが大きく変化することによる表示品質の低下を防止することができる。さらに、単純にサブ画面を移動させるだけでは非点灯とすることができない点灯ＬＥＤ数を、固定辺を移動させずにその反対側の辺を（サブ画面の大きさを変化させるよう）移動させることで、さらに低減させることができる。
【００８２】
次にステップＳ４１２において、サブ画面制御部１０は、固定辺が右辺または下辺である場合に（サブ画面の左上隅である）基準座標を算出する。なお、固定辺が左辺または上辺である場合には、ステップＳ１１６の処理により算出されたＸ座標およびステップＳ２１６の処理により算出されたＹ座標をそのまま使用することができるので、基準座標を算出する必要はない。
【００８３】
その後図４に示す補正処理は全て終了し、全てのサブ画面について同様の補正演算処理が行われると、次にいずれかの入力画像の位置または大きさが変更されるまで新たな補正演算処理は行われない。その間、マルチ画面生成部２０は、サブ画面制御部１０から受け取った補正された位置および大きさを含むサブ画面制御情報Ｃｓを記憶し、記憶された値に応じて新たな入力画像を含むサブ画面の位置および大きさを決定し、マルチ画面入力画像Ｄｖを生成する。次にエリアアクティブ駆動処理部の構成および動作について図１０を参照して説明する。
【００８４】
＜３．  エリアアクティブ駆動処理部の構成および動作＞
＜３．１  エリアアクティブ駆動処理部の構成＞
図１０は、本実施形態におけるエリアアクティブ駆動処理部５の詳細な構成を示すブロック図である。エリアアクティブ駆動処理部５は、所定の処理を実行するための構成要素として、ＬＥＤ出力値算出部１５と、表示輝度算出部１６と、ＬＣＤデータ算出部１８とを備え、所定のデータを格納するための構成要素として、輝度拡散フィルタ１７を備えている。ここで本実施形態においては、ＬＥＤ出力値算出部１５によって発光輝度算出部が実現され、ＬＣＤデータ算出部１８によって表示用データ算出部が実現されている。なお、ＬＥＤ出力値算出部１５にも所定のデータを格納するための構成要素が含まれている。
【００８５】
ＬＥＤ出力値算出部１５は、マルチ画面入力画像Ｄｖを複数のエリアに（ここでは）分割し、各エリアに対応したＬＥＤの発光時の輝度を示すＬＥＤデータ（発光輝度データ）Ｄｂを求める。なお、以下においては、ＬＥＤの発光時の輝度の値を「ＬＥＤ出力値」という。輝度拡散フィルタ１７には、例えば図１１に示すように、各エリアの表示輝度を算出するために光の拡散の仕方を数値で表したデータであるＰＳＦデータが格納されている。
【００８６】
表示輝度算出部１６は、ＬＥＤ出力値算出部１５で求められたＬＥＤデータＤｂと輝度拡散フィルタ１７に格納されているＰＳＦデータＤｐとに基づいて、各エリアの表示輝度Ｄｂ’を算出する。
【００８７】
ＬＣＤデータ算出部１８は、マルチ画面入力画像Ｄｖと、表示輝度算出部１６で求められた各エリアの表示輝度Ｄｂ’とに基づいて、液晶パネル７に含まれるすべての表示素子Ｐの光透過率を表す液晶データＤａを求める。
【００８８】
＜３．２  エリアアクティブ駆動処理部の処理手順＞
図１２は、エリアアクティブ駆動処理部５の処理を示すフローチャートである。エリアアクティブ駆動処理部５には、マルチ画面入力画像Ｄｖに含まれるある色成分（以下、色成分Ｃという）の画像が入力される（ステップＳ１１）。色成分Ｃの入力画像には（ｍ×ｎ）個の画素の輝度が含まれる。
【００８９】
次に、エリアアクティブ駆動処理部５は、色成分Ｃの入力画像に対してサブサンプリング処理（平均化処理）を行い、（ｓｉ×ｓｊ）個（ｓは２以上の整数）の画素の輝度を含む縮小画像を求める（ステップＳ１２）。ステップＳ１２では、色成分Ｃの入力画像は、横方向に（ｓｉ／ｍ）倍、縦方向に（ｓｊ／ｎ）倍に縮小される。次に、エリアアクティブ駆動処理部５は、縮小画像を（ｉ×ｊ）個のエリアに分割する（ステップＳ１３）。各エリアには（ｓ×ｓ）個の画素の輝度が含まれる。
【００９０】
次に、エリアアクティブ駆動処理部５は、（ｉ×ｊ）個のエリアのそれぞれについてのＬＥＤ出力値（ＬＥＤの発光時の輝度の値）を求める（ステップＳ１４）。ここで前述したように、マルチ画面入力画像Ｄｖに含まれるサブ画面入力画像Ｄｖ１〜Ｄｖ３の位置および大きさは、各サブ画面の各辺が対応するエリアの各辺に重なるように設定されているので、（ｉ×ｊ）個のエリアのうち、ＬＥＤ出力値が０（非点灯状態）となるサブ画面が表示されないエリアの数は、上記補正演算前に比べて増加している。したがって、消費電力を低減することができる。
【００９１】
なお、このＬＥＤ出力値を決定する方法としては、例えばエリア内の画素の輝度の最大値Ｍａに基づいて決定する方法、エリア内の画素の輝度の平均値Ｍｅに基づいて決定する方法、またはエリア内の画素の輝度の最大値Ｍａと平均値Ｍｅを加重平均することにより得られる値に基づいて決定する方法などが考えられる。また、ステップＳ１１からステップＳ１４までの処理は、エリアアクティブ駆動処理部５内のＬＥＤ出力値算出部１５で行われる。
【００９２】
次に、エリアアクティブ駆動処理部５は、ステップＳ１４で求めた（ｉ×ｊ）個のＬＥＤ出力値に対して輝度拡散フィルタ（点拡散フィルタ）１５５を適用することにより、（ｔｉ×ｔｊ）個（ｔは２以上の整数）の表示輝度を含む第１のバックライト輝度データを求める（ステップＳ１５）。ステップＳ１５では、（ｉ×ｊ）個のＬＥＤ出力値が横方向と縦方向にそれぞれｔ倍に拡大されて、（ｔｉ×ｔｊ）個の表示輝度が求められている。なお、ステップＳ１５の処理は、エリアアクティブ駆動処理部５内の表示輝度算出部１６で行われる。
【００９３】
次に、エリアアクティブ駆動処理部５は、第１のバックライト輝度データに対して線形補間処理を行うことにより、（ｍ×ｎ）個の輝度を含む第２のバックライト輝度データを求める（ステップＳ１６）。ステップＳ１６では、第１のバックライト輝度データは、横方向に（ｍ／ｔｉ）倍、縦方向に（ｎ／ｔｊ）倍に拡大される。第２のバックライト輝度データは、（ｉ×ｊ）個の色成分ＣのＬＥＤがステップＳ１４で求めた輝度で発光したときに、（ｍ×ｎ）個の色成分Ｃの表示素子Ｐに入射する色成分Ｃのバックライト光の輝度を表す。
【００９４】
続いて、エリアアクティブ駆動処理部５は、色成分Ｃの入力画像に含まれる（ｍ×ｎ）個の画素の輝度を、それぞれ、第２のバックライト輝度データに含まれる（ｍ×ｎ）個の輝度で割ることにより、（ｍ×ｎ）個の色成分Ｃの表示素子Ｐの光透過率Ｔを求める（ステップＳ１７）。
【００９５】
最後に、エリアアクティブ駆動処理部５は、色成分Ｃについて、ステップＳ１７で求めた（ｍ×ｎ）個の光透過率を表す液晶データＤａと、ステップＳ１４で求めた（ｉ×ｊ）個のＬＥＤ出力値を表すＬＥＤデータＤｂとを出力する（ステップＳ１８）。この際、液晶データＤａとＬＥＤデータＤｂは、パネル駆動回路６とバックライト駆動回路４の仕様に合わせて好適な範囲の値に変換される。
【００９６】
エリアアクティブ駆動処理部５は、Ｒ画像、Ｇ画像およびＢ画像に対して図１２に示す処理を行うことにより、（ｍ×ｎ×３）個の画素の輝度を含むマルチ画面入力画像Ｄｖに基づき、（ｍ×ｎ×３）個の透過率を表す液晶データＤａと、（ｉ×ｊ×３）個のＬＥＤ出力値を表すＬＥＤデータＤｂとを求める。
【００９７】
図１３は、ｍ＝１９２０、ｎ＝１０８０、ｉ＝３２、ｊ＝１６、ｓ＝１０、ｔ＝５の場合について、液晶データとＬＥＤデータが得られるまでの経過を示す図である。図１３に示すように、（１９２０×１０８０）個の画素の輝度を含む色成分Ｃの入力画像に対してサブサンプリング処理を行うことにより、（３２０×１６０）個の画素の輝度を含む縮小画像が得られる。縮小画像は、（３２×１６）個のエリア（エリアサイズは（１０×１０）画素）に分割される。各エリアについて画素の輝度の最大値Ｍａと平均値Ｍｅを求めることにより、（３２×１６）個の最大値を含む最大値データと、（３２×１６）個の平均値を含む平均値データが得られる。そして、最大値データに基づいて、あるいは、平均値データに基づいて、あるいは、最大値データと平均値データとの加重平均に基づいて、（３２×１６）個のＬＥＤ輝度（ＬＥＤ出力値）を表す色成分ＣのＬＥＤデータが得られる。
【００９８】
色成分ＣのＬＥＤデータに輝度拡散フィルタ１７を適用することにより、（１６０×８０）個の表示輝度を含む第１のバックライト輝度データが得られる。そしてこの第１のバックライト輝度データに対して線形補間処理を行うことにより、（１９２０×１０８０）個の表示輝度を含む第２のバックライト輝度データが得られる。最後に、色成分Ｃの入力画像に含まれる画素の輝度を第２のバックライト輝度データに含まれる表示輝度で割るなどの（比較）演算を行うことにより、（１９２０×１０８０）個の光透過率を含む色成分Ｃの液晶データが得られる。
【００９９】
なお、図１２では、説明を容易にするために、エリアアクティブ駆動処理部５は、各色成分の画像に対する処理を順に行うこととしたが、各色成分の画像に対する処理を時分割で行ってもよい。また、図１２では、エリアアクティブ駆動処理部５は、ノイズ除去のために入力画像に対してサブサンプリング処理を行い、縮小画像に基づきエリアアクティブ駆動を行うこととしたが、元の入力画像に基づきエリアアクティブ駆動を行ってもよい。
【０１００】
＜４．  効果＞
以上のように、本実施形態のサブ画面制御部１０によれば、マルチ画面入力画像Ｄｖに含まれるサブ画面入力画像Ｄｖ１〜Ｄｖ３の位置および大きさは、各サブ画面の各辺が対応するエリアの各辺に重なるように設定されるので、部分表示の際に点灯するＬＥＤを低減させることができ、そのことにより表示上の不具合を生ずることなく低消費電力化を実現することができる。なお、前述したように表示画面のうちマルチ画面以外の部分において暗い階調で表示がなされる場合であっても（点灯数が低減しないとしても所定輝度以上で点灯する光源数を低減できるため）同様に低消費電力化を実現することができる。
【０１０１】
また、サブ画面の位置や大きさを変更する際には、できるだけ動かさないようにまたは変化させないように処理を行うことにより、前述したように、サブ画面の位置を本来の表示位置から大きく動かしたり、その大きさを大きく変化させることで生じる可能性のある表示品質の低下を防止することができる。
【０１０２】
＜５．  変形例＞
＜５．１  第１の主たる変形例＞
上記実施形態において前述したように、図３に示されるステップＳ１００〜Ｓ４００のうち、ステップＳ１００、Ｓ２００における処理の少なくとも一方が行われるだけでも部分的な消費電力低減効果が得られる。ここで、ステップＳ１００におけるＸ座標の補正演算のみが行われる場合について図１４を参照して説明する。
【０１０３】
図１４は、本変形例におけるＸ座標の補正演算処理についての処理手順を示すフローチャートである。この図１４に示されるステップＳ５０２〜Ｓ５２０の処理は、比較すれば分かるように、図７に示されるステップＳ１０２〜Ｓ１２０の処理とほぼ同様である。しかし、本変形例における処理は、上記実施形態の処理とは異なって、サブ画面の大きさの補正処理に関連するステップＳ１１０、Ｓ１１６、Ｓ１２２で、これらの追加された処理を中心に以下に説明し、その他の処理の説明は省略する。
【０１０４】
この図１４に示されるステップＳ５１８において、サブ画面制御部１０は、サブ画面を左に動かすべきか否かを判定する。上記実施形態におけるステップＳ１１２では、右へ動かすべきでない場合（ステップＳ１１２においてＮｏの場合）は、左へ動かすべき場合であるとしていたが、ここでは右へ動かすべき場合でない場合であっても左へ動かすべき場合でない場合、すなわち右へも左へも動かすべきでない場合をさらに判定している。
【０１０５】
具体的には、サブ画面制御部１０は、サブ画面の大きさＬｘｐを前述した式（４）のように表すとき、次式（９）および次式（１０）の少なくとも一方を満たすか否かを判定する。
ｂ／２＜Ａｘ−Ｘｐｓ≦ｂ  …（９）
ｂ＝１                    …（１０）
【０１０６】
ここで、前述した式（４）に示されるように、サブ画面の大きさＬｘｐはエリアの大きさのｋ倍よりもｂだけ大きいため、例えばサブ画面を左に動かす場合、前述した移動距離がｂ／２以下であれば左へ動かすのが適切であるはずである。しかし、このように動かすことによりサブ画面の左辺がエリアの左辺を越えてその左隣のエリアにかかってしまう場合には、当該左隣のエリアに対応するバックライト光源が点灯するため、結局バックライト光源の点灯数を低減することができない。このように左隣のエリアにかからない条件は、Ｘｐｓが（Ａｘ−ｂ）以上である場合である。このことから上式（９）を導くことができる。また、ｂ＝１である場合にはサブ画面を左右方向にどのように移動させてもバックライト光源の点灯数を減少させることができない。このことから上式（１０）を導くことができる。
【０１０７】
上記ステップＳ５１８における判定の結果、左へ動かすべき場合（ステップＳ５１８においてＹｅｓの場合）、処理は（ステップＳ１２０と同様の処理を行う）ステップＳ５２０へ進み、左へ動かすべきでない、すなわち移動させるべきでない場合（ステップＳ５１８においてＮｏの場合）、処理はステップＳ５１９へ進む。
【０１０８】
次にステップＳ５１９において、サブ画面制御部１０は、サブ画面を移動させてもバックライト光源の点灯数を低減できないことから、補正前のサブ画面の基準座標のうちのＸ座標であるＸｐをそのまま補正後のＸ座標Ｘとして算出する。
【０１０９】
その後、全てのサブ画面について同様の補正演算処理が行われると、次にいずれかの入力画像の位置（Ｘ座標）が変更されるまで新たな補正演算処理は行われない。その間、マルチ画面生成部２０は、サブ画面制御部１０から受け取った補正された位置を含むサブ画面制御情報Ｃｓを記憶し、記憶された値に応じて新たな入力画像を含むサブ画面の位置を決定し、マルチ画面入力画像Ｄｖを生成する。
【０１１０】
以上のように、サブ画面を左右方向にどのように移動させてもバックライト光源の点灯数を減少させることができない場合には、サブ画面を動かさない処理を行うことにより、前述したように、サブ画面の位置を本来の表示位置から大きく動かすことで生じる可能性のある表示品質の低下を防止することができる。
【０１１１】
＜５．２  第２の主たる変形例＞
上記実施形態において上記エリアは、前述したように画面を単純に分割することにより設定されているが、本変形例では、上記エリアは周囲のエリアと重なる部分を含むように設定される。このようなエリアは単純な分割エリアと区別するために探索エリアとも呼ばれる。以下、このようなエリアと対応するＬＥＤユニット３２との位置関係について、図１５を参照して説明する。
【０１１２】
図１５は、本変形例におけるエリアとＬＥＤユニットとの位置関係を簡略に示す図である。バックライト３に含まれる各ＬＥＤユニット３２は、ここでは各エリアに１対１で対応しており、そのエリアは図中の点線で示されている。この図１５を参照すれば分かるように、エリアは周囲のエリアと重なる部分を含むように設定されている。図中の斜線はこの重なり具合をわかりやすく示すためのものである。
【０１１３】
このように各エリアが設定されている場合、例えばサブ画面を右方向へ移動させることによりサブ画面の左辺を対応するエリア（ここでは図中のエリアＡ１）の左辺に合わせる場合（ステップＳ１１４における処理の場合）、左側に隣接するエリア（ここでは図中のエリアＡ２）の右辺は未だ越えていない（すなわち当該隣接するエリアＡ２内である）ため、補正演算により消灯しようとしている当該バックライト光源が点灯してしまうことになる。
【０１１４】
しかしこのような場合、当該対応するエリアＡ１の左辺よりも右側にある、左側に隣接するエリアＡ２の右辺を、上記ステップＳ１１４における当該対応するエリアＡ１の左辺とみなして補正演算を行えばよい。また、その他の辺も同様にして補正演算を行う。そうすれば、上記実施形態の場合と同様の補正演算を行うことができるので、同様の効果を得ることができる。
【０１１５】
＜５．３  その他の変形例＞
上記実施形態では、この図９に示されるステップＳ４０６において、補正前に対する補正後のサブ画面のＸ軸方向の縮小率の値が補正前に対する補正後のサブ画面のＹ軸方向の縮小率の値よりも大きい（すなわち大きさの変化が小さい）か否かを判定し、大きさの変化が小さい縮小率でＸ軸方向およびＹ軸方向に縮小するが、この判定に代えて、Ｙ軸方向におけるエリアの長さに対するサブ画面の対応する長さの割合が、Ｘ軸方向におけるエリアの長さに対するサブ画面の対応する長さの割合より大きいか否かを判定してもよい。
【０１１６】
すなわち、エリアの長さに対するサブ画面の対応する長さの割合がより大きい方の辺は、小さい方の辺に比べて、サブ画面の辺が差し掛かるエリアの数が少なくなる。例えば、水平方向（Ｘ軸方向）に長いサブ画面と垂直方向（Ｙ軸方向）に長いエリアとが設けられる構成（すなわち、Ｌｘ／Ａｘ＞Ｌｙ／Ａｙとなる場合）では、サブ画面における水平方向の辺（例えば上辺）が差し掛かるエリア数は、垂直方向の辺（例えば左辺）が差し掛かるエリア数よりも多くなる。したがって、サブ画面の大きさを縮小するために動かす辺は、差し掛かるエリアが多い辺であるほうが、より多くのバックライト光源を消灯させることができる。したがって、この場合は、（水平方向に直交する）垂直方向へサブ画面の大きさを縮小する場合の縮小率で、水平方向へサブ画面の大きさを縮小する方が、その逆の場合よりも多くのバックライト光源を消灯させることができるため、好適であると言える。そこで、上記ステップＳ４０６に代えて、上記の判定方法を使用すると、上記例では、（ステップＳ４０６においてＮｏと判定される場合と同様の結果となって）、ステップＳ４１０における処理によりサブ画面の大きさはＬｙ／Ｌｙｐの縮小率で縮小されることになる。
【０１１７】
このように、エリアの辺の長さに対するサブ画面の対応する辺の長さの割合がより大きい方の辺に直交する方向の縮小率で、水平方向および垂直方向へサブ画面の大きさが縮小されるよう大きさを設定すれば、より多くのバックライト光源を消灯させることができ、低消費電力化を実現することができる。
【０１１８】
上記第１の主たる変形例では、Ｘ座標の補正演算のみが行われる場合について説明したが、同様にサブ画面の大きさの補正演算処理（ステップＳ４００）のみが行われる場合であっても、同様に部分的な効果が得られる。
【０１１９】
もっともこの場合には上記のような座標補正演算処理が省略されるため、（ステップＳ１１６またはステップＳ１２２の処理における）固定辺に相当する辺が得られない。そこで、第１の大きさの補正演算処理を行うことにより、サブ画面の大きさが縮小されエリアの辺と重ねられたサブ画面の（左右方向または上下方向の）一方の辺を固定辺として、さらにこの固定辺に対向する辺を、第２の大きさの補正演算処理を行うことで、サブ画面の大きさを縮小することによりエリアの辺と重ねる。そうすれば（左右方向または上下方向において）上記実施形態と同一の結果が得られるため、全く同一の効果を得ることができる。
【０１２０】
上記実施形態における座標補正演算処理（ステップＳ１００、Ｓ２００）および大きさの補正演算処理（ステップＳ４００）では、最も近い対応するエリアの辺にサブ画面の辺を合わせる構成であるが、所定の近傍範囲内のエリアの対応する辺にサブ画面の辺を合わせる構成であってもよい。
【０１２１】
上記実施形態ではＸ軸方向およびＹ軸方向にＬＥＤユニットが配置される直下型またはタンデム型のバックライト装置を例に説明したが、Ｘ軸方向（またはＹ軸方向）のみに光源が配置されるエッジライト型のバックライト装置であっても、Ｘ軸方向（またはＹ軸方向）に直列されるように設けられるエリアを使用したエリアアクティブ制御がなされる限り同様に本発明を適用することができる。
【０１２２】
また上記実施形態では、光透過率を制御可能な表示素子であれば、液晶以外の素材を使用した表示素子を採用してもよく、このような表示素子を備える画像表示装置にも上記エリアアクティブ制御がなされる限り同様に本発明を適用することができる。
【産業上の利用可能性】
【０１２３】
本発明は、バックライトを備える画像表示装置に適用されるものであって、バックライトの輝度を複数のエリア毎に制御する機能を有する液晶表示装置などの画像表示装置に適している。
【符号の説明】
【０１２４】
２…液晶表示装置
３…バックライト
４…バックライト駆動回路
５…エリアアクティブ駆動処理部
６…パネル駆動回路
７…液晶パネル
１０…サブ画面制御部
１５…ＬＥＤ出力値算出部
１６…表示輝度算出部
１７…輝度拡散フィルタ
１８…ＬＣＤデータ算出部
２０…マルチ画面生成部
３２…ＬＥＤユニット
Ｄｖ１〜３…サブ画面入力画像
Ｄｖ…マルチ画面入力画像
Ｄａ…ＬＣＤデータ
Ｄｂ…ＬＥＤデータ
【図１】
0005450793.tif 000002
【図２】
0005450793.tif 000003
【図３】
0005450793.tif 000004
【図４】
0005450793.tif 000005
【図５】
0005450793.tif 000006
【図６】
0005450793.tif 000007
【図７】
0005450793.tif 000008
【図８】
0005450793.tif 000009
【図９】
0005450793.tif 000010
【図１０】
0005450793.tif 000011
【図１１】
0005450793.tif 000012
【図１２】
0005450793.tif 000013
【図１３】
0005450793.tif 000014
【図１４】
0005450793.tif 000015
【図１５】
0005450793.tif 000016